(57)【要約】【課題】任意の間口の押入用空間に適用でき、化粧シートによる模様の見栄えがよい組み立て式押入を提供する。【解決手段】木片チップ若しくは木片繊維を圧縮、結合して形成するエンドレスボードから任意の長さで裁断可能な複数のユニットボードを、横長とし鉛直方向に重ねた状態で裏当支持枠へ固定し、背面パネルを形成する。押入用空間の間口幅に合わせて背面パネルの横幅を設定でき、ユニットボードには方向性のある凹溝がないので、横長に配置するユニットボードの表面に縦方向の模様が印刷された化粧シートを貼り付けても、模様と直交するシワが表れない。湿気で撓みやすいユニットボードを用いても、撓み方向と逆方向に組立応力を発生させておくので、撓みにくい。【選択図】図２
2008002233.tif 000002
【特許請求の範囲】
【請求項１】
背板パネルと天板パネルと一対のサイドパネルと底板パネルとから、正面側が開口する直方体状に組み立てられ、建物の押入用空間に収容される組み立て式押入であって、
前記背板パネルは、
木片チップ若しくは木片繊維を圧縮、結合して形成するエンドレスボードから前記背板パネルの横幅を長手方向幅としてそれぞれ裁断され、長手方向と直交する短手方向幅の総和が前記背板パネルの縦幅となる複数のユニットボードと、
横長とした前記各ユニットボードを鉛直方向に重ねた状態で前記各ユニットボードの裏面に固定し、全体の輪郭が前記背板パネルの輪郭に一致する前記複数のユニットボードを同一鉛直面上に支持する裏当支持枠と、
前記各ユニットボードの表面に固着され、組み立てられた押入の内奥面に表れる化粧シートとを備え、
前記各ユニットボードの表面を湿潤させ、表側に湾曲しようとする前記各ユニットボードの裏面に前記裏当支持枠を固定し、前記複数のユニットボードを同一鉛直面上に支持することを特徴とする組み立て式押入。
【請求項２】
前記化粧シートの鉛直方向に描かれた模様が、前記各ユニットボードの短手方向を鉛直方向として表れるように、前記化粧シートが前記各ユニットボードの表面に固着され、
押入の上下を仕切る棚板が、鉛直方向に重ねられる前記ユニットボード間の隙間を覆う高さで、前記一対のサイドパネル間に掛け渡されることを特徴とする請求項１に記載の組み立て式押入。
【請求項３】
湿潤させた前記化粧シートを前記各ユニットボードの表面に固着し、表側に湾曲しようとする前記各ユニットボードの裏面に前記裏当支持枠を固定する請求項１又は請求項２のいずれか１項に記載の組み立て式押入。
【請求項４】
前記背板パネルの裏面に防水シートを貼り付けたことを特徴とする請求項１乃至請求項３のいずれか１項に記載の組み立て式押入。
【発明の詳細な説明】
【技術分野】
【０００１】
本発明は、一般住宅とする建物の建築時に押入用として形成された空間へ収容する組み立て式押入に関し、更に詳しくは、任意の間口の押入用空間に適応して収容可能な組み立て式押入に関する。
【背景技術】
【０００２】
従来工事現場での手間を削減し迅速な施工を目的として、建物の建築時には押入用空間のみを施工しておき、現場でユニット化したパネル材を組み立てる組み立て式押入を、押入用空間へ収容して押入とする施工法が知られている。一般にパネル材としては、合板が用いられているが、押入の内奥壁面となる背板パネルは、１枚の合板ではまかなえず複数枚の合板を同一鉛直面上に連結して背板パネルとしている。
【０００３】
しかしながら、合板の継ぎ目が目立たないように連結する作業は、熟練した職人による手間を要する作業であり、また、吸湿性の高い合板は、経年変化で湾曲しやすく、継ぎ目が目立ち美観を損なうものとなっていた。そこで鉛直方向に重ねたパネル材間の隙間となる高さに棚板を掛け渡し、棚板で隙間を覆う組み立て式押入が知られている（特許文献１参照）。
【０００４】
【特許文献１】特開平１１−８１６４４号公報（第２頁第２欄２３行乃至第３頁第３欄８行、図１、図２）
【０００５】
以下、この従来の組み立て式押入１００を図９と図１０で説明する。図９に示すように、この組み立て式押入１００は、それぞれ長方形状輪郭で形成された背板パネル１０１、天板パネル１０２、底板パネル１０３及び一対のサイドパネル１０４、１０４とを、互いに直交する各パネル間を釘又はネジ止めして固定し、正面側が開口する直方体状に組み立てている。
【０００６】
背板パネル１０１は、長方形状輪郭が１枚のボードで補えない大きさであるため、横長に配置し鉛直方向の一面に沿って上下に連結させる３枚の背板ボード１０１ａ、１０１ｂ、１０１ｃとで構成している。すなわち、各背板ボート１０１ａ、１０１ｂ、１０１ｃの長手方向幅は、底板パネル１０３の長手方向幅と同一に、長手方向に直交する各背板ボート１０１ａ、１０１ｂ、１０１ｃの短手方向幅の総和は、サイドパネル１０４の長手方向幅（高さ）にほぼ等しく、従って、図示するように鉛直方向の一面に沿って重ねられた状態で、背板パネル１０１の長方形状輪郭に一致するものとなっている。
【０００７】
この背板ボード１０１ａから一対のサイドパネル１０４、１０４の内側面に沿って、コの字状の中棚受け桟１０５が掛け渡されている。中棚受け桟１０５は、その上端面が背板ボート１０１ａの上端面と同一面となる高さに掛け渡され、図１０に示すように、サイドパネル１０４と背板ボード１０１ａにネジ止めされ固定される。
【０００８】
その後、中棚受け桟１０５の上端面に沿って正面側から中棚１０６を水平にスライドし、中棚１０６の背面が中間の背板ボート１０１ｂに当接した状態で、中棚１０６と背板ボート１０１ｂをネジ止めし、中棚１０６を押入１００内に掛け渡して固定する。中棚１０６を支持する中棚受け桟１０５は、中棚１０６の正面側に垂設された框１０６ａにより隠され、また、背板ボート１０１ａと背板ボート１０１ｂ間の隙間は、中棚１０６の肉厚内に隠される。
【０００９】
同様に、上端面が背板ボート１０１ｂの上端面と同一面となる高さで、枕棚受け桟１０７が背板ボート１０１ｂから一対のサイドパネル１０４、１０４の内側面に沿って固定され、枕棚受け桟１０７上に枕棚１０８が水平に支持される。これにより、背板ボート１０１ｂと背板ボート１０１ｃ間の隙間も、枕棚１０８により覆われる。
【００１０】
従って、３枚の背板ボード１０１ａ、１０１ｂ、１０１ｃの隙間で対向する端面が、固定の際に位置ずれしたり湾曲しても、中棚１０６若しくは枕棚１０８により覆われるので、外方に表れることがなく、美観を損なうことがない。
【発明の開示】
【発明が解決しようとする課題】
【００１１】
上述の従来の組み立て式押入１００の背板パネル１０１に用いられる各背板ボード１０１ａ、１０１ｂ、１０１ｃは、ベニヤなどの合板が用いられるが、量産して安価なものとするために、その長方形の輪郭は画一的なものとなっている。従って、図９に示すように横長に配置しても、その長手方向幅が限られているため、限られた間口の押入にしか適用できないという問題があった。
【００１２】
また、ベニヤなどの合板は、その長手方向に沿って木目が表れるので、横長に配置した背板ボード１０１ａ、１０１ｂ、１０１ｃには不自然な横長の木目が表れる。そこで、一般にその表面に上下方向に沿って木目模様が表れる化粧シートを貼り付けているが、背板ボード１０１ａ、１０１ｂ、１０１ｃ表面に横長の木目に沿った凹溝があり、化粧シートを表面に密着して貼り付けにくいばかりか、凹溝が化粧シートの木目に直交するシワとなって表れ、見栄えが悪いものとなっていた。
【００１３】
また、合板以外に安価に製造できるパーティクルボードやＭＤＦを背板ボードに用いることも知られているが、結露が発生しやすく湿度の高い押入用空間では、湿気を帯びて湾曲しやすく、実用性のないものであった。
【００１４】
本発明は、このような従来の問題点を考慮してなされたものであり、任意の間口の押入用空間に適用でき、化粧シートによる模様の見栄えがよい組み立て式押入を提供することを目的とする。
【００１５】
また、湿気の多い押入用空間に配置しても、背板ボードが湾曲しにくい組み立て式押入を提供することを目的とする。
【課題を解決するための手段】
【００１６】
上述の目的を達成するため、請求項１の組み立て式押入は、背板パネルと天板パネルと一対のサイドパネルと底板パネルとから、正面側が開口する直方体状に組み立てられ、建物の押入用空間に収容される組み立て式押入であって、
前記背板パネルは、木片チップ若しくは木片繊維を圧縮、結合して形成するエンドレスボードから前記背板パネルの横幅を長手方向幅としてそれぞれ裁断され、長手方向と直交する短手方向幅の総和が前記背板パネルの縦幅となる複数のユニットボードと、横長とした前記各ユニットボードを鉛直方向に重ねた状態で前記各ユニットボードの裏面に固定し、全体の輪郭が前記背板パネルの輪郭に一致する前記複数のユニットボードを同一鉛直面上に支持する裏当支持枠と、前記各ユニットボードの表面に固着され、組み立てられた押入の内奥面に表れる化粧シートとを備え、前記各ユニットボードの表面を湿潤させ、表側に湾曲しようとする前記各ユニットボードの裏面に前記裏当支持枠を固定し、前記複数のユニットボードを同一鉛直面上に支持することを特徴とする。
【００１７】
背面パネルは、エンドレスボードから任意の長さで裁断される複数のユニットボードを、横長とし鉛直方向に重ねた状態で裏当支持枠へ固定することにより形成される。
【００１８】
各ユニットボードの表面を湿潤させ、表側に湾曲しようとする前記各ユニットボードを裏当支持枠を固定すると、各ユニットボードに表側を凸曲面としようとする組立応力が発生する。従って、他のパネルと組み立てられ、押入用空間の内壁面に対向する裏側が湿気を帯びても、裏側に湾曲しにくく、同一鉛直面の平面状形態を維持する。
【００１９】
化粧シートを固着するユニットボードは、木片チップ若しくは木片繊維を圧縮、結合して形成するエンドレスボードを裁断したものであるので、その表面に方向性のある溝がなく、縦方向に模様が印刷された化粧シートを固着しても、模様の向きと直交する凹溝が表れず、シワが目立たない。
【００２０】
請求項２の組み立て式押入は、前記化粧シートの鉛直方向に描かれた模様が、前記各ユニットボードの短手方向を鉛直方向として表れるように、前記化粧シートが前記各ユニットボードの表面に固着され、押入の上下を仕切る棚板が、鉛直方向に重ねられる前記ユニットボード間の隙間を覆う高さで、前記一対のサイドパネル間に掛け渡されることを特徴とする。
【００２１】
裏当支持枠によって上下方向に連結される上下のユニットボード間の隙間は、一対のサイドパネル間に掛け渡される棚板により覆われるので、一方のユニットボードが湾曲したり、位置ずれして裏当支持枠に固定されても、外観に表れない。
【００２２】
各ユニットボード毎に化粧シートを貼り付けても、棚板で上下のユニットボード間の化粧シートの模様は遮られ、不連続の模様が目立たない。
【００２３】
請求項３の組み立て式押入は、湿潤させた前記化粧シートを前記各ユニットボードの表面に固着し、表側に湾曲しようとする前記各ユニットボードの裏面に前記裏当支持枠を固定することを特徴とする。
【００２４】
湿潤させた化粧シートをユニットボードの表面に固着することにより、ユニットボードの表面が湿潤し、ユニットボードの表面は、化粧シートで覆われるので、裏当支持枠へ固定するまで表面が乾燥しにくい。
【００２５】
請求項４の組み立て式押入は、背板パネルの裏面に防水シートを貼り付けたことを特徴とする。
【００２６】
ユニットボードの裏面が防水シートで覆われるので、押入用空間に配置しても、裏面が湿気を帯びにくい。
【発明の効果】
【００２７】
請求項１の発明によれば、建物の押入用空間の横幅に合わせた規格外の縦、横などの寸法の押入を、パネルを継ぎ足すことなく形成できる。
【００２８】
また、ユニットボードは、表面に方向性のある凹溝が生じないので、化粧シートを密着して貼り付けることができ、長手方向を水平方向とする横長に配置しても、縦方向に木目等の模様が印刷された化粧シートの表面に、模様と直交する凹溝によるシワが表れず、押入の内奥面を見栄えのよいものとすることができる。
【００２９】
更に、湿気を受けて湾曲しやすいユニットボードを背面パネルに用いた組み立て式押入を、湿気が多い押入用空間に配置しても、背面パネルが湾曲しにくく、押入の内奥面の美感が損なわれない。
【００３０】
請求項２の発明によれば、上下に連結されるユニットボードの一方の厚みや形状が異なったり、位置ずれして裏当支持枠に固定されてもその隙間が隠され、熟練と作業時間を要することなく、美感を損なわない押入を組み立てることができる。
【００３１】
また、各ユニットボード毎に貼り付ける化粧シートの模様は、上下で連続する他の化粧シートの模様と棚板により遮られるので、上下のユニットボード間の化粧シートの模様は連続させるように位置決めする必要がない。
【００３２】
請求項３の発明によれば、ユニットボードの表面を湿潤させる霧吹き工程などの別工程が不要となり、裏当支持枠へ固定するまで、ユニットボードへ表側へ湾曲させる曲げ応力を発生させるので、裏側の湿気に対する組立応力を確実に発生させることができる。
【００３３】
請求４の発明によれば、湿気の多い裏面側が防水シートで覆われるので、ユニットボードの表裏の湿度の均衡がとれ、撓まない。
【発明を実施するための最良の形態】
【００３４】
以下、本発明の一実施の形態に係る組み立て式押入１を、図１乃至図８を用いて説明する。図１は、本実施の形態に係る組立式押入１の斜視図、図２は、同分解斜視図であり、これらの図に示すように、組み立て式押入１は、背面側に配置される背板パネル２、左右両側に配置される１対のサイドパネル３、４、平面側に配置される天板パネル５、底面側に配置される底板パネル６と、サイドパネル３、４間に水平に掛け渡される棚板７とで構成される。
【００３５】
背板パネル２は、図示しない建物の押入用空間に組み立て式押入１が収容されるように、全体の横幅が図示しない押入用空間の間口に、縦幅が挿入用空間の高さにほぼ一致する長方形状に形成され、上段パーティクルボード２１Ａ及び下段パーティクルボード２１Ｂと、パーティクルボード２１Ａ、２１Ｂの背面側（図４において左側面側）に固定する裏当支持枠２２と、上段パーティクルボード２１Ａ及び下段パーティクルボード２１Ｂの各表面に貼り付けられる化粧シート２３とからなっている。
【００３６】
ユニットボードとなるパーティクルボード２１Ａ、２１Ｂは、後述するように、廃木材の小片である木製チップを接着剤で固めて帯状に熱圧成形したエンドレスパーティクルボード２０を、それぞれ長手方向幅が背板パネル２の横幅に一致するように切断したもので、長手方向と直交する各パーティクルボード２１Ａ、２１Ｂの短手方向幅の総和は、背板パネル２の縦幅に一致するものとなっている。
【００３７】
裏当支持枠２２は、上段パーティクルボード２１Ａと下段パーティクルボード２１Ｂを同一鉛直面上に上下に連結させて位置決め支持する為のもので、図３乃至図５に示すように、上段パーティクルボード２１Ａ及び下段パーティクルボード２１Ｂとそれぞれ同一輪郭形状となるように木製ロッドを交差させ枠状に組み立てたられた上段支持枠２２Ａ及び下段支持枠２２Ｂで構成される。
【００３８】
パーティクルボード２１Ａ、２１Ｂは、その各背面を、上段支持枠２２Ａと下段支持枠２２Ｂへ固定するが、ここでは、固定前にパーティクルボード２１Ａ、２１Ｂの表面に霧を吹き掛けるなどして表面側を湿潤させておく。図７に示すように、表面側が高湿となったパーティクルボード２１Ａ、２１Ｂは、表面側（図中、右斜め下方側）が凸となるように湾曲し、湾曲するパーティクルボード２１Ａ、２１Ｂの各背面を、平面状の上段支持枠２２Ａ及び下段支持枠２２Ｂへ、例えば３００ｍｍ間隔で釘、ネジなどにより固定する。これにより、上段支持枠２２Ａ及び下段支持枠２２Ｂに沿って平面状に固定されたパーティクルボード２１Ａ、２１Ｂへ、表面を凸曲面としようとする組立応力を発生させる。
【００３９】
その後、上下に連結した上段支持枠２２Ａと下段支持枠２２Ｂ間を、釘、ネジなどで固定して裏当支持枠２２を一体に組み立て、裏当支持枠２２により支持された上段パーティクルボード２１Ａと下段パーティクルボード２１Ｂは、同一鉛直面上に上下方向に連結され、その全体の輪郭が、背板パネル２の輪郭に一致するものとなる。
【００４０】
化粧シート２３は、上段パーティクルボード２１Ａの表面に貼り付けられる上段シート２３Ａと、下段パーティクルボード２１Ｂの表面に貼り付けられる下段シート２３Ｂとからなり、組み立てられた組み立て式押入１の内奥面を装飾するものである。化粧シート２３は、パーティクルボード２１Ａ、２１Ｂの表面に均一に固着できれば、任意の材料を用いることができるが、ここでは紙基材を用い、紙基材の表面に木目模様を印刷し、その上に硬化型ウレタンのトップコート層を形成して化粧シートとしている。パーティクルボード２１Ａ、２１Ｂの表面へ固着する工程は、パーティクルボード２１Ａ、２１Ｂを裏当支持枠２２へ固定する前後のいずれでも良いが、ここでは、以下に説明するパーティクルボード２１Ａ、２１Ｂの成形と連続する工程で行う。
【００４１】
図８は、表面に化粧シート２３が固着されるエンドレスパーティクルボード２０を連続して製造する製造装置８を示す説明図で、エンドレスパーティクルボード２０の原材料となる木製チップに電子ビームにより硬化する結合材を混合させた材料８１が、容器兼分散器９０から、連続して回転する無端ベルト８２上に均一な厚さで分散される。
【００４２】
比較的暑みのある帯状に分散された材料８１は、無端ベルト８２上を図中右方に移送され、予圧ローラ８３ａと転向ローラ８３ｂに巻回された予圧ベルト８３ｃによって、一対のドラム８４、８４からなる主プレス機へ移送可能な比較的薄い圧縮層に圧縮される。圧縮された材料８１は、一対のドラム８４、８４間で更に圧縮されるとともに所定横幅（図中紙面と直交する方向の幅）となるように成形され、無端帯状となって高周波加熱装置８５、８５間に送られる。
【００４３】
高周波加熱装置８５、８５は、無端帯状となった材料８１へ電子ビームを照射し、材料８１中の結合材を加熱硬化させ、これにより所定硬度のエンドレスパーティクルボード２０が得られる。
【００４４】
製造されたエンドレスパーティクルボード２０は、搬送ローラに案内されて無端ベルト８２により右方に押し出され、バキュームクリーナー８６で表面側に残された埃や塵が除かれ、化粧シート２３が供給される熱圧着ローラー８７の下方に移送される。
【００４５】
紙基材に木目模様２４とトップコートが付着された上述の化粧シート２３は、感熱接着剤が裏面全体に付着され、木目模様２４が印刷された表面を外側として、巻き出しロール８８にロール状に巻回される。巻き出しロール８８から引き出される化粧シート２３は、ガイドローラー８９を経由して熱圧着ローラ８７へ送られる。化粧シート２３は、裏面がエンドレスパーティクルボード２０の表面に密着する姿勢で、熱圧着ローラー８７の下方へ送られ、エンドレスパーティクルボード２０との間に挟持されると同時に加熱されることにより裏面に付着する感熱接着剤が接着性を発現し、エンドレスパーティクルボード２０の表面に固着される。
【００４６】
表面全体に均一の化粧シート２３が固着されたエンドレスパーティクルボード２０は、裁断機９１、９１で所望の長さに裁断される。背板パネル２のパーティクルボード２１Ａ、２１Ｂとする場合には、裁断機９１、９１によって背板パネル２の横幅に一致する長さ裁断し、パーティクルボード２１Ａ、２１Ｂが製造される。
【００４７】
ここで化粧シート２３は、表面に印刷された木目模様２４が、組み立て式押入１の内奥面で上下方向に表れるように、パーティクルボード２１Ａ、２１Ｂの表面に固着される。すなわち、化粧シート２３の表面に印刷された木目模様２４は、帯状の化粧シート２３の長手方向に対して直交する幅方向の向きに印刷され、エンドレスパーティクルボード２０の長手方向に対して木目模様２４の向きが直交するように化粧シート２３が貼り付けられる。エンドレスパーティクルボード２０（パーティクルボード２１Ａ、２１Ｂ）の表面には、合板のようにその長手方向に凹溝がなく、木目模様２４の向きを長手方向に直交させても、木目模様２４に交差するシワが表れない。
【００４８】
１対のサイドパネル３、４、天板パネル５及び底板パネル６も、同様に図２に示すように、四角形状に裁断されたパーティクルボード３１、４１、５１、６１が、その背面を木製ロッドを交差させ枠状に組み立てたられた裏当支持枠３２、４２、５２、６２に固定されて一体に組み立てられる。パーティクルボード３１、４１、５１、６１の表面には、それぞれ同様に木目模様（図示せず）が印刷された化粧シート４３、６３が、固着される。
【００４９】
このようにして長方形板状に一体に形成された各パネル２、３、４、５、６は、直交して隣接するパネル間で互いに当接する周縁部間に釘若しくはビスを貫通して両者を一体に固定し、各パネル２、３、４、５、６の全体で、建物の押入用空間に隙間なく収容される直方体状に組み立てる。各パネル２、３、４、５、６を一体に組み立てた組み立て式押入１は、図１に示すように、正面側が開口し、各パネルの表面に固着された化粧シート２３、３３、４３、５３、６３が、それぞれ押入１の内奥面、左右内側面、天面、内底面に表れる。
【００５０】
直方体状に組み立てた左右のサイドパネル３、４間には、組み立て式押入１の上下を仕切る棚板７が掛け渡される。棚板７は、各パネル２、３、４、５、６と同様にパーティクルボードと裏当支持枠で形成できるが、ここでは所定の荷重を受けても撓まない一枚の板材を用いている。棚板７の取り付けは、背板パネル２を構成する下段パーティクルボード２１の上端縁近傍の高さで、背板パネル２とサイドパネル３、４の内面に水平に受け桟（図示せず）を取り付けておき、その受け桟上に正面側から棚板７をスライドして載置し、サイドパネル３、４間に水平に架け渡された棚板７とその周囲の裏当支持枠２２、３２、４２との間を釘、ネジで固定する。
【００５１】
下段パーティクルボード２１Ｂの上端縁近傍の高さでサイドパネル３、４間に水平に架け渡された棚板７は、下段パーティクルボード２１Ｂと上段パーティクルボード２１Ａとの隙間を覆うので、両者の厚みが異なっていたり、位置ずれして裏当支持枠２２に取り付けられその隙間が開いても、棚板７によって隠される。また、上下の化粧シート２３Ａ、２３Ｂ間の継ぎ目も棚板７で覆われるので、木目模様２４が上下で連続しなくても目立たない。
【００５２】
また、パーティクルボードは、上述のように安価な材料で形成できるものの、吸水により撓みが発生し易いので、湿気の高い押入に用いるパネル材料としては不適当とされているが、予め押入の湿気を受けて湾曲する方向と逆方向に組立応力を発生させておくので、パーティクルボードを用いても湾曲することなく、押入の内壁面の美感を損なうことがない。
【００５３】
上述の実施の形態では、上段支持枠２２Ａと下段支持枠２２Ｂへの固定前にパーティクルボード２１Ａ、２１Ｂの表面に霧を吹き掛けるなどして表面側を湿潤させるが、パーティクルボード２１Ａ、２１Ｂへ固着する直前の化粧シート２３を湿らせ、パーティクルボード２１Ａ、２１Ｂの表面へ固着することによって表面側を湿潤させるものであってもよい。
【００５４】
また、パーティクルボード２１Ａ、２１Ｂの裏面若しくは裏面に固定する裏当支持枠２２の裏面全体を防水シートで覆えば、湿気の多い裏面側が防水シートで覆われ、パーティクルボードの表裏の湿度の均衡がとれるので、更に確実に平面状の形態を維持できる。
【００５５】
また上述の実施の形態では、エンドレスボードの一例としてエンドレスパーティクルボード２０で説明したが、木片チップ若しくは木片繊維を圧縮、結合して形成されるものであれば、木材繊維を圧縮して接着剤で結合して形成するＭＤＦ等他の無端ボードであってもよい。
【００５６】
また、エンドレスパーティクルボード２０は、所定の強度を得るために、更にガラス繊維などの補強材を埋設したものであってもよい。
【００５７】
また、裏当支持枠２２は、複数のパーティクルボード２１Ａ、２１Ｂを同一鉛直面上に固定して支持できるものであれば、必ずしも背面パネル２の輪郭に一致させる必要はなく、更に各パーティクルボード２１Ａ、２１Ｂを固定する為に裏当支持枠２２を上段支持枠２２Ａと下段支持枠Ｂに分割させる必要もない。
【産業上の利用可能性】
【００５８】
本発明は、建物の建築現場で組み立てる組み立て式押入に適している。
【図面の簡単な説明】
【００５９】
【図１】組立式押入１の斜視図である。
【図２】組立式押入１の分解斜視図である。
【図３】背板パネル２の背面図である。
【図４】背板パネル２の左側面図である。
【図５】サイドパネル３の背面図である。
【図６】サイドパネル３の左側面図である。
【図７】表面側を高湿としたパーティクルボード２１Ａ、２１Ｂを、上段支持枠２２Ａ及び下段支持枠２２Ｂへ固定する工程を示す斜視図である。
【図８】エンドレスパーティクルボード２０の製造装置８を示す説明図である。
【図９】従来の組み立て式押入１００の斜視図である。
【図１０】組み立て式押入１００の要部縦断面図である。
【符号の説明】
【００６０】
１  組み立て式押入
２  背板パネル
３  サイドパネル
４  サイドパネル
５  天板パネル
６  底板パネル
２０  エンドレスパーティクルボード（エンドレスボード）
２１  パーティクルボード（ユニットボード）
２２  裏当支持枠
２３  化粧シート
２４  模様
【図１】
2008002233.tif 000003
【図２】
2008002233.tif 000004
【図３】
2008002233.tif 000005
【図４】
2008002233.tif 000006
【図５】
2008002233.tif 000007
【図６】
2008002233.tif 000008
【図７】
2008002233.tif 000009
【図８】
2008002233.tif 000010
【図９】
2008002233.tif 000011
【図１０】
2008002233.tif 000012